(57)【要約】【課題】照明装置から放出される青色光の明るさを向上させることができる技術を提供する。【解決手段】照明装置６０は、白色光を発するＬＥＤ６１１を実装したプリント基板６１０と、青色で透明な材料で成形され、ＬＥＤ６１１が発する白色光に波長成分として含まれる青色光を選択的に透過させる青色透明部材６２０と、無色で透明な材料で成形され、一方向に連なる光放出部６３８を有し、青色透明部材６２０から透過した青色光を光放出部６３８から放出する無色透明部材６３０とを備える。【選択図】図３
2010245693.tif 000002
【特許請求の範囲】
【請求項１】
光を放出する照明装置であって、
白色光を発する発光素子を実装したプリント基板と、
青色で透明な材料で成形され、前記発光素子が発する白色光に波長成分として含まれる青色光を選択的に透過させる青色透明部材と、
無色で透明な材料で成形され、一方向に連なる線状部を有し、前記青色透明部材から透過した青色光を前記線状部から放出する無色透明部材と
を備える照明装置。
【請求項２】
前記青色透明部材は、前記プリント基板と前記無色透明部材との間に挟まれて固定される請求項１に記載の照明装置。
【請求項３】
前記青色透明部材は、前記プリント基板を取り付ける取付面を前記無色透明部材と共に構成する基板取付部を備える請求項１または請求項２に記載の照明装置。
【請求項４】
請求項１ないし請求項３のいずれかに記載の照明装置であって、
前記青色透明部材は、前記プリント基板を位置決めする第１の位置決め部を備え、
前記無色透明部材は、前記青色透明部材を位置決めする第２の位置決め部を備える、照明装置。
【請求項５】
前記プリント基板および前記青色透明部材は、前記無色透明部材の前記線状部における一方の端側に配置される請求項１ないし請求項４のいずれかに記載の照明装置。
【請求項６】
請求項１ないし請求項５のいずれかに記載の照明装置を備える画像読取装置。
【発明の詳細な説明】
【技術分野】
【０００１】
本発明は、光を放出する照明装置に関する。
【背景技術】
【０００２】
近年、動作状態の表示や装飾を目的とした照明を行うため、線状に光を放出する照明装置が知られている。この種の照明装置には、特許文献１に記載された照明装置を利用することができる。特許文献１の照明装置は、棒状の透明部材における両端にそれぞれＬＥＤ（Light Emitting Diode）を設け、これらのＬＥＤからの光を透明部材の両端に入射し、透明部材の各部から光を放出する。
【０００３】
特許文献１の照明装置では、赤色ＬＥＤ、緑色ＬＥＤ、青色ＬＥＤを光源に利用することによって、白色光を線状に放出する。例えば、特許文献１の照明装置において、青色ＬＥＤのみを利用した場合には、青色光を線状に放出することが可能である。
【先行技術文献】
【特許文献】
【０００４】
【特許文献１】特開２００７−２５９３９６号公報
【発明の概要】
【発明が解決しようとする課題】
【０００５】
しかしながら、従来、青色光を線状に放出する照明装置において放出光の明るさを向上させる場合、光源である青色ＬＥＤの数を増加することによって対応していたため、照明装置の構造が複雑になってしまうという問題があった。
【０００６】
本発明は、上記した課題を踏まえ、照明装置から放出される青色光の明るさを向上させることができる技術を提供することを目的とする。
【課題を解決するための手段】
【０００７】
本発明は、上述の課題の少なくとも一部を解決するためになされたものであり、以下の形態または適用例として実現することが可能である。
【０００８】
［適用例１］  適用例１の照明装置は、光を放出する照明装置であって、白色光を発する発光素子を実装したプリント基板と、青色で透明な材料で成形され、前記発光素子が発する白色光に波長成分として含まれる青色光を選択的に透過させる青色透明部材と、無色で透明な材料で成形され、一方向に連なる線状部を有し、前記青色透明部材から透過した青色光を前記線状部から放出する無色透明部材とを備えることを特徴とする。適用例１の照明装置によれば、青色光を発するものよりも比較的に明るい白色光を発する発光素子を用いて、青色光を線状に放出することができる。したがって、照明装置における構造の複雑化を避けつつ、照明装置から放出される青色光の明るさを向上させることができる。
【０００９】
［適用例２］  適用例１の照明装置において、前記青色透明部材は、前記プリント基板と前記無色透明部材との間に挟まれて固定されるとしても良い。適用例２の照明装置によれば、照明装置における構造の簡素化を図ることができる。
【００１０】
［適用例３］  適用例１または適用例２の照明装置において、前記青色透明部材は、前記プリント基板を取り付ける取付面を前記無色透明部材と共に構成する基板取付部を備えるとしても良い。適用例３の照明装置によれば、プリント基板の固定強度を向上させることができる。
【００１１】
［適用例４］  適用例１ないし適用例３のいずれかの照明装置において、前記青色透明部材は、前記プリント基板を位置決めする第１の位置決め部を備え、前記無色透明部材は、前記青色透明部材を位置決めする第２の位置決め部を備えるとしても良い。適用例４の照明装置によれば、照明装置を構成する各部材の固定強度を向上させることができる。
【００１２】
［適用例５］  適用例１ないし適用例４のいずれかの照明装置において、前記プリント基板および前記青色透明部材は、前記無色透明部材の前記線状部における一方の端側に配置されても良い。適用例５の照明装置によれば、無職透明部材の両方の端側に光源を設ける場合に比べ、照明装置における構造の簡素化を図ることができる。
【００１３】
［適用例６］  適用例１ないし適用例５のいずれかの照明装置を画像読取装置に備えても良い。適用例６の画像読取装置によれば、画像読取装置における構造の複雑化を避けつつ、画像読取装置において放出される青色光の明るさを向上させることができる。
【００１４】
本発明の形態は、照明装置および画像読取装置（イメージスキャナー）に限るものではなく、例えば、線状の青色光が必要とされる印刷装置（プリンター）や投影装置（プロジェクター）などの他の形態に適用することもできる。また、本発明は、前述の形態に何ら限定されるものではなく、本発明の趣旨を逸脱しない範囲内において様々な形態で実施し得ることは勿論である。
【図面の簡単な説明】
【００１５】
【図１】イメージスキャナーの構成を主に示す説明図である。
【図２】照明装置の詳細構成を示す説明図である。
【図３】照明装置の詳細構成を示す分解組立図である。
【図４】照明装置の詳細構成を示す分解組立図である。
【図５】無色透明部材の光誘導部を厚さ方向に切断した断面図である。
【発明を実施するための形態】
【００１６】
以上説明した本発明の構成および作用を一層明らかにするために、以下本発明を適用したイメージスキャナーについて説明する。
【００１７】
Ａ．実施例：
Ａ１．イメージスキャナーの構成：
図１は、イメージスキャナー１０の構成を主に示す説明図である。イメージスキャナー１０は、原稿９０を光学的に読み取り、イメージデータを生成する画像読取装置である。イメージスキャナー１０は、本体筐体１１０と、蓋筐体１２０と、原稿台１３０と、画像読取部１４０と、ユーザーインターフェース１５０と、照明部１６０と、機器インターフェース１７０とを備える。
【００１８】
イメージスキャナー１０の本体筐体１１０は、画像読取部１４０を収容する。本実施例では、本体筐体１１０は、直方体状の箱体である。
【００１９】
イメージスキャナー１０の原稿台１３０は、本体筐体１１０に設けられ、原稿９０を載せる平面を構成し、その平面の一部として、透明な素材で形成された透明部１３２を備える。本実施例では、原稿台１３０は、本体筐体１１０の上面に設けられ、原稿台１３０の透明部１３２は、本体筐体１１０の上面よりも小さな矩形状の無色透明なガラスである。
【００２０】
イメージスキャナー１０の蓋筐体１２０は、原稿台１３０の上方を開閉可能な蓋体であり、本体筐体１１０に設けられている。本実施例では、蓋筐体１２０は、原稿台１３０の透明部１３２よりも大きな形状を有し、本体筐体１１０の上面端部に軸着されている。
【００２１】
イメージスキャナー１０の画像読取部１４０は、原稿台１３０の透明部１３２に載せられた原稿９０を走査して光学的に読み取り、原稿９０を表現するイメージデータを生成する。本実施例では、画像読取部１４０は、ＣＣＤ(Charge Coupled Device)やＣＭＯＳ(Complementary Metal Oxide Semiconductor)などの固体撮像素子や、原稿９０を照らす光源、これらを原稿９０の位置に合わせて移動させる駆動部などを備える。
【００２２】
イメージスキャナー１０のユーザーインターフェース１５０は、イメージスキャナー１０を使用するユーザーとの間で情報のやり取りを行う。本実施例では、ユーザーインターフェース１５０は、ユーザーからの操作入力を受け付ける操作ボタンを備え、他の実施形態において、ユーザーに向けて種々の情報を表示する表示部を備えても良い。
【００２３】
イメージスキャナー１０の機器インターフェース１７０は、イメージスキャナー１０に接続されるパーソナルコンピューターや記憶装置などの外部機器（図示しない）との間で情報のやり取りを行う。本実施例では、機器インターフェース１７０は、画像読取部１４０によって生成されたイメージデータをイメージスキャナー１０の外部に出力することが可能である。
【００２４】
イメージスキャナー１０の照明部１６０は、青色光を線状に放出する照明装置６０を備え、イメージスキャナー１０を装飾すると共に、イメージスキャナー１０の動作状態を表現する。本実施例では、照明部１６０は、イメージスキャナー１０の電源がオン状態で、照明装置６０を点灯し、イメージスキャナー１０の電源がオフ状態で、照明装置６０を消灯する。
【００２５】
Ａ２．照明装置の構成：
図２は、照明装置６０の詳細構成を示す説明図である。図３および図４は、照明装置６０の詳細構成を示す分解組立図である。照明装置６０は、プリント基板６１０と、青色透明部材６２０と、無色透明部材６３０と、遮光シート６４０と、固定ネジ６５０とを備える。
【００２６】
照明装置６０のプリント基板６１０は、種々の電子部品を実装した板状の部材である。プリント基板６１０は、図３に示すように、ＬＥＤ６１１と、電源カプラー６１２と、位置決め孔部６１４と、貫通孔部６１６とを備える。
【００２７】
プリント基板６１０のＬＥＤ６１１は、青色の波長成分を含む白色光を発する発光素子であり、プリント基板６１０に実装されている。プリント基板６１０の電源カプラー６１２は、ＬＥＤ６１１に電源を供給するコネクター（図示しない）と接続可能であり、プリント基板６１０に形成された配線を介してＬＥＤ６１１に電源を供給する。
【００２８】
プリント基板６１０の位置決め孔部６１４は、青色透明部材６２０との位置関係を決定する貫通孔を形成する。本実施例では、位置決め孔部６１４は、二つの丸い貫通孔を形成するが、他の実施形態において、貫通孔の形状は、楕円や多角形などの貫通孔であっても良いし、貫通孔の数は、一つでも良いし、三つ以上でも良い。
【００２９】
プリント基板６１０の貫通孔部６１６は、プリント基板６１０を無色透明部材６３０に固定する固定ネジ６５０を挿入可能な貫通孔を形成する。
【００３０】
照明装置６０の青色透明部材６２０は、青色で透明な材料で成形された部材である。青色透明部材６２０は、図３に示すように、基板取付部６２２と、開口部６２３と、位置決め凸部６２４と、フィルター部６２６とを備える。本実施例では、青色透明部材６２０の各部は、青色の透明な合成樹脂で一体成形される。
【００３１】
青色透明部材６２０のフィルター部６２６は、プリント基板６１０のＬＥＤ６１１と、無色透明部材６３０との間に配置され、プリント基板６１０のＬＥＤ６１１から白色光の入射を受けると、その白色光に波長成分として含まれる青色光を選択的に無色透明部材６３０へと透過させる。本実施例では、フィルター部６２６は、四角柱状に形成されている。
【００３２】
青色透明部材６２０の基板取付部６２２は、図４に示すように、プリント基板６１０を取り付ける取付面を、無色透明部材６３０と共に構成する。本実施例では、基板取付部６２２は、図３に示すように、フィルター部６２６から延びた板状に形成され、図２ないし図４に示すように、プリント基板６１０と無色透明部材６３０との間に挟まれて固定される。
【００３３】
青色透明部材６２０の開口部６２３は、無色透明部材６３０との位置関係を決定する開口を形成する。本実施例では、開口部６２３による開口は、基板取付部６２２の中央に設けられ、青色透明部材６２０を無色透明部材６３０に重ねる方向に向けて拡張し、無色透明部材６３０に嵌り合う。
【００３４】
青色透明部材６２０の位置決め凸部６２４は、プリント基板６１０との位置関係を決定する第１の位置決め部であり、プリント基板６１０の位置決め孔部６１４に嵌り合う突起を形成する。本実施例では、位置決め凸部６２４は、フィルター部６２６との間に開口部６２３を挟む位置関係で基板取付部６２２に設けられている。本実施例では、位置決め孔部６１４は、二つの円柱状の突起を形成するが、他の実施形態において、突起の形状や数は、プリント基板６１０の位置決め孔部６１４に合わせて適宜変更しても良い。
【００３５】
照明装置６０の無色透明部材６３０は、無色透明な材料で成形された部材である。無色透明部材６３０は、図３に示すように、基板取付部６３２と、ネジ挿入部６３４と、光誘導部６３６と、光放出部６３８とを備える。本実施例では、無色透明部材６３０の各部は、無色透明な合成樹脂で一体成形される。
【００３６】
無色透明部材６３０の光誘導部６３６は、青色透明部材６２０のフィルター部６２６に隣接して配置され、青色透明部材６２０のフィルター部６２６から透過した青色光を光放出部６３８へ誘導する。本実施例では、光誘導部６３６は、青色透明部材６２０のフィルター部６２６から離れるに従って幅が狭くなる板状に形成されている。
【００３７】
無色透明部材６３０の光放出部６３８は、無色透明部材６３０の表面において一方向に連なる線状部であり、光誘導部６３６によって青色透明部材６２０から誘導された青色光を無色透明部材６３０の外部へと放出する。本実施例では、光放出部６３８は、光を遮断する遮光シート６４０で光誘導部６３６の表面を、一方向に連なる線状の部位を残して覆うことによって形成されている。
【００３８】
図５は、無色透明部材６３０の光誘導部６３６を厚さ方向に切断した断面図である。青色透明部材６２０のフィルター部６２６から透過した青色光は、光誘導部６３６の内部で拡散する。光誘導部６３６において拡散する青色光は、遮光シート６４０で覆われた光誘導部６３６の表面に到達した場合、光誘導部６３６の内部へと反射する。他方、光誘導部６３６において拡散する青色光は、遮光シート６４０で覆われていない光放出部６３８に到達した場合、光誘導部６３６の外部へと放出される。これによって、青色光による線状の照明が実現される。
【００３９】
無色透明部材６３０の基板取付部６３２は、図４に示すように、プリント基板６１０を取り付ける取付面を、青色透明部材６２０と共に構成する。図４に示すように、青色透明部材６２０を無色透明部材６３０に取り付けた状態で、青色透明部材６２０の基板取付部６２２と、無色透明部材６３０の基板取付部６３２とは、略同一平面上に配置される。図２ないし図４に示すように、プリント基板６１０および青色透明部材６２０は、無色透明部材６３０の光放出部６３８における一方の端側に配置される。
【００４０】
無色透明部材６３０の基板取付部６３２は、青色透明部材６２０との位置関係を決定する第２の位置決め部としても機能し、青色透明部材６２０の開口部６２３と嵌り合う。本実施例では、基板取付部６３２の端部は、青色透明部材６２０の開口部６２３に合わせて、青色透明部材６２０を無色透明部材６３０に重ねる方向に向けて拡張する。
【００４１】
無色透明部材６３０のネジ挿入部６３４は、プリント基板６１０を固定する固定ネジ６５０と嵌め合い可能に形成されている。本実施例では、ネジ挿入部６３４は、プリント基板６１０の貫通孔部６１６に対応する位置に設けられた雌ネジである。
【００４２】
本実施例では、イメージスキャナー１０において、照明装置６０は、図１に示すように、本体筐体１１０の内部に収容され、照明装置６０の光放出部６３８は、本体筐体１１０の側面に露出する。
【００４３】
Ａ３．効果：
以上説明した照明装置６０によれば、青色光を発するものよりも比較的に明るい白色光を発するＬＥＤ６１１を用いて、青色光を線状に放出することができる。したがって、照明装置６０における構造の複雑化を避けつつ、照明装置６０から放出される青色光の明るさを向上させることができる。
【００４４】
また、青色透明部材６２０は、プリント基板６１０と無色透明部材６３０との間に挟まれて固定されることから、照明装置６０における構造の簡素化を図ることができる。
【００４５】
また、青色透明部材６２０は、プリント基板６１０を取り付ける取付面を無色透明部材６３０と共に構成する基板取付部６２２を備えることから、プリント基板６１０の固定強度を向上させることができる。
【００４６】
また、青色透明部材６２０は、プリント基板６１０を位置決めする位置決め凸部６２４を備え、無色透明部材６３０は、青色透明部材６２０を位置決めする基板取付部６３２を備えることから、照明装置６０を構成する各部材の固定強度を向上させることができる。
【００４７】
また、プリント基板６１０および青色透明部材６２０は、無色透明部材６３０の光放出部６３８における一方の端側に配置されることから、無色透明部材６３０の両方の端側に光源を設ける場合に比べ、照明装置６０における構造の簡素化を図ることができる。
【００４８】
Ｂ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。
【００４９】
例えば、前述の実施例では、白色ＬＥＤを用いたが、他の実施形態において、青色の波長成分を含む他の光を発するＬＥＤを用いても良い。
【００５０】
また、前述の実施例では、青色透明部材６２０で青色光を選択的に透過するとしたが、他の実施形態において、他の色に着色した透明部材を用いて、ＬＥＤからの光に波長成分として含まれる他の色の光を透過しても良い。
【００５１】
また、前述の実施例では、照明装置６０をイメージスキャナー１０の本体筐体１１０に設けたが、蓋筐体１２０に設けても良い。また、前述の実施例では、照明装置６０をイメージスキャナーに設けたが、線状の青色光が必要とされるプリンターやプロジェクターなどの他の装置に照明装置６０を設けても良い。
【符号の説明】
【００５２】
１０…イメージスキャナー
６０…照明装置
９０…原稿
１１０…本体筐体
１２０…蓋筐体
１３０…原稿台
１３２…透明部
１４０…画像読取部
１５０…ユーザーインターフェース
１６０…照明部
１７０…機器インターフェース
６１０…プリント基板
６１１…ＬＥＤ
６１２…電源カプラー
６１４…位置決め孔部
６１６…貫通孔部
６２０…青色透明部材
６２２…基板取付部
６２３…開口部
６２４…位置決め凸部
６２６…フィルター部
６３０…無色透明部材
６３２…基板取付部
６３４…ネジ挿入部
６３６…光誘導部
６３８…光放出部
６４０…遮光シート
６５０…固定ネジ
【図１】
2010245693.tif 000003
【図２】
2010245693.tif 000004
【図３】
2010245693.tif 000005
【図４】
2010245693.tif 000006
【図５】
2010245693.tif 000007